(57)【特許請求の範囲】
【請求項１】
第１の衛星を使って多チャンネル放送を行う第１の放送と、第２の衛星を使って多チャンネル放送を行う第２の放送とを共通のデコーダで受信するようにした多チャンネル放送の顧客管理システムにおいて、
上記第１の放送のサイトは、上記第１の放送の顧客の受信契約情報を出力する第１の顧客管理手段と、
上記第１の放送の顧客の受信契約情報から第１の放送の受信契約情報パケットを生成する第１の受信契約情報パケット生成手段と、
上記第１の放送の受信契約情報パケットを第２の放送のサイトに伝送する手段と、
上記第１の受信契約情報パケット生成手段で生成された上記第１の放送の受信契約情報パケットと、上記第２の放送のサイトから伝送されてきた上記第２の放送の受信契約情報パケットとを混合する第１の混合手段と、
混合された上記第１の放送の受信契約情報パケットと上記第２の放送の受信契約情報パケットとをパケットストリームに組み入れ、上記第１の衛星を介して送る第１の送信手段とを設え、
上記第２の放送のサイトは、上記第２の放送の顧客の受信契約情報を出力する第２の顧客管理手段と、
上記第２の放送の顧客の受信契約情報から第２の放送の受信契約情報パケットを生成する第２の受信契約情報パケット生成手段と、
上記第２の放送の受信契約情報パケットを第１の放送のサイトに伝送する手段と、
上記第２の受信契約情報パケット生成手段で生成された上記第２の放送の受信契約情報パケットと、上記第１の放送のサイトから伝送されてきた上記第１の放送の受信契約情報パケットとを混合する第２の混合手段と、
混合された上記第２の放送の受信契約情報パケットと上記第１の放送の受信契約情報パケットとをパケットストリームに組み入れ、上記第２の衛星を介して送る第２の送信手段とを設える
ようにした
ことを特徴とする多チャンネル放送の顧客管理システム。
【請求項２】
上記第１の放送のサイトは、上記第１の受信契約情報パケット生成手段からの第１の放送の受信契約情報パケットをレピートすると共に、上記レピートされる前の上記第１の放送の受信契約情報パケットを上記第２の放送のサイトに送り、
上記第２の放送のサイトは、上記第２の受信契約情報パケット生成手段からの上記第２の放送の受信契約情報パケットをレピートすると共に、上記レピートされる前の上記第２の放送の受信契約情報パケットを上記第１の放送のサイトに送り、
更に、上記第１の放送のサイトには、伝送されてきた上記第２の放送の受信契約情報パケットをレピートする手段を設け、
上記第２の放送のサイトには、伝送されてきた上記第１の放送の受信契約情報パケットをレピートする手段を設け、
上記第１の放送のサイトにおいて、上記第１の放送のサイトで上記レピートされた上記第１の放送の受信契約情報パケットと、上記第２の放送のサイトから送られ上記第１の放送のサイトでレピートされた上記第２の放送の受信契約情報パケットとを混合し、
上記第２の放送のサイトにおいて、上記第２の放送のサイトで上記レピートされた上記第２の放送の受信契約情報パケットと、上記第１の放送のサイトから送られ上記第２の放送のサイトでレピートされた上記第１の放送の受信契約情報パケットとを混合する
ようにした
ことを特徴とする請求項１に記載の多チャンネル放送の顧客管理システム。
【請求項３】
上記第１の放送のサイトは、上記第１の受信契約情報パケット生成手段からの第１の放送の受信契約情報パケットをレピートすると共に、上記レピートされた後の上記第１の放送の受信契約情報パケットを上記第２の放送のサイトに送り、
上記第２の放送のサイトは、上記第１の受信契約情報パケット生成手段からの上記第２の放送の受信契約情報パケットをレピートすると共に、上記レピートされる前の上記第２の放送の受信契約情報パケットを上記第１の放送のサイトに送り、
更に、上記第１の放送のサイトには、伝送されてきた上記第２の放送の受信契約情報パケットをレピートする手段を設け、
上記第１の放送のサイトにおいて、上記第１の放送のサイトでレピートされた上記第１の放送の受信契約情報パケットと、上記第２の放送のサイトから送られ上記第１の放送のサイトでレピートされた上記第２の放送の受信契約情報パケットとを混合し、
上記第２の放送のサイトにおいて、上記第２の放送のサイトでレピートされた上記第２の放送の受信契約情報パケットと、上記第１の放送のサイトでレピートされ上記第１の放送のサイトから送られてきた上記第１の放送の受信契約情報パケットとを混合する
ようにした
ことを特徴とする請求項１に記載の多チャンネル放送の顧客管理システム。
【請求項４】
上記第１の放送のサイトは、上記第１の受信契約情報パケット生成手段からの第１の放送の受信契約情報パケットをレピートすると共に、上記レピートされる前の上記第１の放送の受信契約情報パケットを上記第２の放送のサイトに送り、
上記第２の放送のサイトは、上記第１の受信契約情報パケット生成手段からの上記第２の放送の受信契約情報パケットをレピートすると共に、上記レピートされた後の上記第２の放送の受信契約情報パケットを上記第１の放送のサイトに送り、
更に、上記第２の放送のサイトには、伝送されてきた上記第１の放送の受信契約情報パケットをレピートする手段を設け、
上記第１の放送のサイトにおいて、上記第１の放送のサイトでレピートされた上記第１の放送の受信契約情報パケットと、上記第２の放送のサイトでレピートされ上記第２の放送のサイトから送られてきた上記第２の放送の受信契約情報パケットとを混合し、
上記第２の放送のサイトにおいて、上記第２の放送のサイトでレピートされた上記第２の放送の受信契約情報パケットと、上記第１の放送のサイトから送られ、上記第２の放送のサイトでレピートされた上記第１の放送の受信契約情報パケットとを混合する
ようにした
ことを特徴とする請求項１に記載の多チャンネル放送の顧客管理システム。
【請求項５】
上記第１の放送のサイトは、上記第１の受信契約情報パケット生成手段からの第１の放送の受信契約情報パケットをレピートすると共に、上記レピートされた後の上記第１の放送の受信契約情報パケットを上記第２の放送のサイトに送り、
上記第２の放送のサイトは、上記第１の受信契約情報パケット生成手段からの上記第２の放送の受信契約情報パケットをレピートすると共に、上記レピートされた後の上記第２の放送の受信契約情報パケットを上記第１の放送のサイトに送り、
上記第１の放送のサイトにおいて、上記第１の放送のサイトでレピートされた上記第１の放送の受信契約情報パケットと、上記第２の放送のサイトでレピートされ上記第２の放送のサイトから送られてきた上記第２の放送の受信契約情報パケットとを混合し、
上記第２の放送のサイトにおいて、上記第２の放送のサイトでレピートされた上記第２の放送の受信契約情報パケットと、上記第１の放送のサイトでレピートされ上記第１の放送のサイトから送られてきた上記第１の放送の受信契約情報パケットとを混合する
ようにした
ことを特徴とする請求項１に記載の多チャンネル放送の顧客管理システム。
【請求項６】
第１の衛星を使って多チャンネル放送を行う第１の放送と、第２の衛星を使って多チャンネル放送を行う第２の放送とを共通のデコーダで受信するようにした多チャンネル放送の顧客管理方法において、
上記第１の放送のサイトでは、上記第１の放送の顧客の受信契約情報を出力し、
上記第１の放送の顧客の受信契約情報から第１の放送の受信契約情報パケットを生成し、
上記第１の放送の受信契約情報パケットを第２の放送のサイトに伝送し、
上記生成された上記第１の放送の受信契約情報パケットと、上記第２の放送のサイトから伝送されてきた上記第２の放送の受信契約情報パケットとを混合し、
混合された上記第１の放送の受信契約情報パケットと上記第２の放送の受信契約情報パケットとをパケットストリームに組み入れ、上記第１の衛星を介して送る第１の送信し、
上記第２の放送のサイトでは、上記第２の放送の顧客の受信契約情報を出力し、
上記第２の放送の顧客の受信契約情報から第２の放送の受信契約情報パケットを生成し、
上記第２の放送の受信契約情報パケットを第１の放送のサイトに伝送し、
上記生成された上記第２の放送の受信契約情報パケットと、上記第１の放送のサイトから伝送されてきた上記第１の放送の受信契約情報パケットとを混合し、
混合された上記第２の放送の受信契約情報パケットと上記第１の放送の受信契約情報パケットとをパケットストリームに組み入れ、上記第２の衛星を介して送る
ようにした
ことを特徴とする多チャンネル放送の顧客管理方法。
【請求項７】
上記第１の放送のサイトは、上記第１の放送の受信契約情報パケットをレピートすると共に、上記レピートされる前の上記第１の放送の受信契約情報パケットを上記第２の放送のサイトに送り、
上記第２の放送のサイトは、上記第２の放送の受信契約情報パケットをレピートすると共に、上記レピートされる前の上記第２の放送の受信契約情報パケットを上記第１の放送のサイトに送り、
上記第１の放送のサイトにおいて、上記第１の放送のサイトでレピートされた上記第１の放送の受信契約情報パケットと、上記第２の放送のサイトから送られ上記第１の放送のサイトでレピートされた上記第２の放送の受信契約情報パケットとを混合し、
上記第２の放送のサイトにおいて、上記第２の放送のサイトでレピートされた上記第２の放送の受信契約情報パケットと、上記第１の放送のサイトから送られ上記第２の放送のサイトでレピートされた上記第１の放送の受信契約情報パケットとを混合する
ようにした
ことを特徴とする請求項６に記載の多チャンネル放送の顧客管理方法。
【請求項８】
上記第１の放送のサイトは、上記第１の放送の受信契約情報パケットをレピートすると共に、上記レピートされた後の上記第１の放送の受信契約情報パケットを上記第２の放送のサイトに送り、
上記第２の放送のサイトは、上記第２の放送の受信契約情報パケットをレピートすると共に、上記レピートされる前の上記第２の放送の受信契約情報パケットを上記第１の放送のサイトに送り、
上記第１の放送のサイトにおいて、上記第１の放送のサイトでレピートされた上記第１の放送の受信契約情報パケットと、上記第２の放送のサイトから送られ上記第１の放送のサイトでレピートされた上記第２の放送の受信契約情報パケットとを混合し、
上記第２の放送のサイトにおいて、上記第２の放送のサイトでレピートされた上記第２の放送の受信契約情報パケットと、上記第１の放送のサイトでレピートされ上記第１の放送のサイトから送られてきた上記第１の放送の受信契約情報パケットとを混合する
ようにした
ことを特徴とする請求項６に記載の多チャンネル放送の顧客管理方法。
【請求項９】
上記第１の放送のサイトは、上記第１の放送の受信契約情報パケットをレピートすると共に、上記レピートされる前の上記第１の放送の受信契約情報パケットを上記第２の放送のサイトに送り、
上記第２の放送のサイトは、上記第２の放送の受信契約情報パケットをレピートすると共に、上記レピートされた後の上記第２の放送の受信契約情報パケットを上記第１の放送のサイトに送り、
上記第１の放送のサイトにおいて、上記第１の放送のサイトでレピートされた上記第１の放送の受信契約情報パケットと、上記第２の放送のサイトでレピートされ上記第２の放送のサイトから送られてきた上記第２の放送の受信契約情報パケットとを混合し、
上記第２の放送のサイトにおいて、上記第２の放送のサイトでレピートされた上記第２の放送の受信契約情報パケットと、上記第１の放送のサイトから送られ、上記第２の放送のサイトでレピートされた上記第１の放送の受信契約情報パケットとを混合する
ようにした
ことを特徴とする請求項６に記載の多チャンネル放送の顧客管理方法。
【請求項１０】
上記第１の放送のサイトは、上記第１の放送の受信契約情報パケットをレピートすると共に、上記レピートされた後の上記第１の放送の受信契約情報パケットを上記第２の放送のサイトに送り、
上記第２の放送のサイトは、上記第２の放送の受信契約情報パケットをレピートすると共に、上記レピートされた後の上記第２の放送の受信契約情報パケットを上記第１の放送のサイトに送り、
上記第１の放送のサイトにおいて、上記第１の放送のサイトでレピートされた上記第１の放送の受信契約情報パケットと、上記第２の放送のサイトでレピートされ上記第２の放送のサイトから送られてきた上記第２の放送の受信契約情報パケットとを混合し、
上記第２の放送のサイトにおいて、上記第２の放送のサイトでレピートされた上記第２の放送の受信契約情報パケットと、上記第１の放送のサイトでレピートされ上記第１の放送のサイトから送られてきた上記第１の放送の受信契約情報パケットとを混合する
ようにした
ことを特徴とする請求項６に記載の多チャンネル放送の顧客管理方法。
【発明の詳細な説明】
【０００１】
【発明の属する技術分野】
この発明は、ディジタル衛星放送を行うのに用いて好適な顧客管理システム及び管理方法に関する。
【０００２】
【従来の技術】
ディジタル衛星放送では、ディジタル映像信号や音声信号が例えばＭＰＥＧ（Moving Picture Experts Group）２方式により圧縮されて放送されており、既存のアナログ放送に比べて、高品質の信号を伝送することが可能であると共に、周波数利用効率が向上され、多チャンネル化が図れる。また、ディジタル衛星放送では、映像や音声のみならず、データ放送等のサービスを行うことが可能とされている。
【０００３】
現在、既にいくつかのディジタル衛星放送用の衛星が打ち上げられており、ディジタル衛星放送のサービスを開始されている。そして、このようなディジタル衛星放送では、スポーツ、映画、音楽、ニュース等のコンテンツを放映するチャンネルが用意されており、１つの衛星のチャンネル数としては数１００チャンネルが確保されている。
【０００４】
更に、今後、いくつかのディジタル衛星放送用の衛星が打ち上げられ、いくつかのディジタル衛星放送のサービスが開始されようとしている。これらのディジタル衛星放送サービスでは、より興味深い各種の番組を提供するチャンネルを用意することが考えられている。
【０００５】
ディジタル衛星放送を受信する場合、映像信号及び音声信号をデコードするための専用のＩＲＤ（Integrated Reciever/Decoder ）が必要である。ディジタル衛星放送のサービスがいくつか登場してくると、複数のディジタル衛星放送のサービスに加入して、ディジタル衛星放送を楽しみたいと考える視聴者が増えてくると考えられる。ところが、異なるディジタル衛星放送のサービスに加入するために、新たなＩＲＤを購入するのでは不便である。そこで、各ディジタル衛星放送のサービスでＩＲＤを共通に使えるようにすることが要望される。
【０００６】
【発明が解決しようとする課題】
ところが、複数のディジタル衛星放送のサービスで共通に使えるようなＩＲＤを構成すると、受信契約情報が確実に受信できなくなる場合が生じる。
【０００７】
つまり、ディジタル衛星放送を受信する場合、ＩＲＤにＩＣカードが装着される。このＩＣカードには、カードＩＤと契約者情報（ＥＭＭ）が保存される。この受信契約情報は、衛星放送を管理している衛星運営会社と契約を結ぶと、その衛星運営会社のサイトからＥＭＭパケットとして送信され、その衛星運営会社の管理している衛星を介して送られてきる。受信側では、送られたきたＥＭＭパケットのＩＤと、装着されているＩＣカードのＩＤとを比較し、自分宛のＥＭＭパケットなら、それを取り込む。したがって、ディジタル衛星放送の受信契約を結んだら、視聴者は、そのディジタル衛星放送の衛星運営会社の衛星からの信号を受信して、自分宛のＥＭＭパケットを受信する必要がある。
【０００８】
受信する衛星が１つの場合には、視聴者は常にその衛星からの電波を受信しているので、その衛星運営会社のサイトから送られてくるＥＭＭパケットを確実に受信することができる。ところが、複数のディジタル衛星放送のサービスでＩＲＤを共通に使えるようにすると、視聴者が１つの衛星運営会社と受信契約を結んだとき、その視聴者がこれとは別の衛星運営会社の衛星からの信号を受信していると、受信契約を結んだにもかかわらず、その衛星運営会社のサイトから送られてくるＥＭＭパケットが受信できなくなる。したがって、受信契約をしたにも係わらず、ＩＣカードに受信契約情報が保存されず、契約したチャンネルの放送が受信できない等の不利益を視聴者に与える可能性があり、大きな問題となり得る。
【０００９】
したがって、この発明の目的は、複数のディジタル衛星放送のサービスでＩＲＤを共通に使用する場合に、受信契約情報を確実に受信できるようにした顧客管理システム及び管理方法を提供することにある。
【００１０】
【課題を解決するための手段】
請求項１の発明は、第１の衛星を使って多チャンネル放送を行う第１の放送と、第２の衛星を使って多チャンネル放送を行う第２の放送とを共通のデコーダで受信するようにした多チャンネル放送の顧客管理システムにおいて、第１の放送のサイトは、第１の放送の顧客の受信契約情報を出力する第１の顧客管理手段と、第１の放送の顧客の受信契約情報から第１の放送の受信契約情報パケットを生成する第１の受信契約情報パケット生成手段と、第１の放送の受信契約情報パケットを第２の放送のサイトに伝送する手段と、第１の受信契約情報パケット生成手段で生成された第１の放送の受信契約情報パケットと、第２の放送のサイトから伝送されてきた第２の放送の受信契約情報パケットとを混合する第１の混合手段と、混合された第１の放送の受信契約情報パケットと第２の放送の受信契約情報パケットとをパケットストリームに組み入れ、第１の衛星を介して送る第１の送信手段とを設え、第２の放送のサイトは、第２の放送の顧客の受信契約情報を出力する第２の顧客管理手段と、第２の放送の顧客の受信契約情報から第２の放送の受信契約情報パケットを生成する第２の受信契約情報パケット生成手段と、第２の放送の受信契約情報パケットを第１の放送のサイトに伝送する手段と、第２の受信契約情報パケット生成手段で生成された第２の放送の受信契約情報パケットと、第１の放送のサイトから伝送されてきた第１の放送の受信契約情報パケットとを混合する第２の混合手段と、混合された第２の放送の受信契約情報パケットと第１の放送の受信契約情報パケットとをパケットストリームに組み入れ、第２の衛星を介して送る第２の送信手段とを設えるようにしたことを特徴とする多チャンネル放送の顧客管理システムである。
【００１２】
請求項６の発明は、第１の衛星を使って多チャンネル放送を行う第１の放送と、第２の衛星を使って多チャンネル放送を行う第２の放送とを共通のデコーダで受信するようにした多チャンネル放送の顧客管理方法において、第１の放送のサイトでは、第１の放送の顧客の受信契約情報を出力し、第１の放送の顧客の受信契約情報から第１の放送の受信契約情報パケットを生成し、第１の放送の受信契約情報パケットを第２の放送のサイトに伝送し、生成された第１の放送の受信契約情報パケットと、第２の放送のサイトから伝送されてきた第２の放送の受信契約情報パケットとを混合し、混合された第１の放送の受信契約情報パケットと第２の放送の受信契約情報パケットとをパケットストリームに組み入れ、第１の衛星を介して送る第１の送信し、第２の放送のサイトでは、第２の放送の顧客の受信契約情報を出力し、第２の放送の顧客の受信契約情報から第２の放送の受信契約情報パケットを生成し、第２の放送の受信契約情報パケットを第１の放送のサイトに伝送し、生成された第２の放送の受信契約情報パケットと、第１の放送のサイトから伝送されてきた第１の放送の受信契約情報パケットとを混合し、混合された第２の放送の受信契約情報パケットと第１の放送の受信契約情報パケットとをパケットストリームに組み入れ、第２の衛星を介して送るようにしたことを特徴とする多チャンネル放送の顧客管理方法である。
【００１４】
第１の衛星運営会社のサイトと第２の衛星運営会社のサイトの間で、第１の衛星運営会社からのＥＭＭパケットと第２の衛星運営会社からのＥＭＭパケットとが交換されている。このため、視聴者は、どちらの衛星運営会社の放送を受信している場合にも、第１の衛星運営会社又は第２の衛星運営会社から送られている受信契約情報を確実に受け取ることができる。
【００１５】
【発明の実施の形態】
以下、この発明の実施の形態について図面を参照して説明する。図１は、この発明が適用できる衛星放送システムの一例の概要を示すものである。
【００１６】
図１において、１は第１の衛星運営会社のサイトである。第１の衛星運営会社のサイト１では、多チャンネルのディジタル衛星放送を行っている。２は第２の衛星運営会社のサイトである。第２衛星運営のサイト２では、第１の衛星運営会社とは独立して、多チャンネルのディジタル衛星放送を行っている。
【００１７】
第１の衛星運営会社１と第２の衛星運営会社２は、ディジタルビデオ信号やディジタルオーディオ信号の圧縮方式や伝送フォーマット等、基本的な方式については同一とされている。
【００１８】
すなわち、第１の衛星運営会社及び第２の衛星運営会社では、放送映像素材の編集処理を行い、この放送映像素材から得られたビデオ信号及びオーディオ信号をＭＰＥＧ２方式により圧縮し、ＱＰＳＫ（Quadrature Phase Shift Keying ）変調し、所定の搬送波で衛星に向けて信号を送信している。ＭＰＥＧ２方式は、ＤＣＴ（Discrete Cosine Transform ）と可変長符号によりビデオ信号を圧縮するものである。
【００１９】
第１の衛星運営会社のサイト１からの送信信号は、第１の衛星運営会社が管理している衛星３を介して、各家庭の受信設備５に送られる。第２の衛星運営会社のサイト２からの送信信号は、第２の衛星運営会社が管理している衛星４を介して、各家庭の受信設備５に送られる。第１の衛星運営会社が管理している衛星３及び第２の衛星運営会社が管理している衛星４は、静止軌道上の近接した位置に静止されている。
【００２０】
各家庭の受信設備５としては、衛星３及び４からの信号を受信するパラボラアンテナ６と、受信信号を復調し、ビデオ信号及びオーディオ信号をデコードするＩＲＤ７と、ＩＲＤ７からのビデオ信号及び映像信号が供給されるテレビジョン受像機８とが設けられる。
【００２１】
第１の衛星運営会社が管理している衛星３と、第２の衛星運営会社が管理している衛星４は、静止軌道上の近接した位置に静止している。そして、第１の衛星運営会社のサイト１と第２の衛星運営会社のサイト２では、ディジタルビデオ信号やディジタルオーディオ信号の圧縮方式や伝送フォーマット等、基本的な方式については同一の方式で処理が行われている。このため、第１の衛星運営会社が管理している衛星３からの信号と、第２の衛星運営会社が管理している衛星４からの信号は、共通のパラボラアンテナ６を使って受信し、共通のＩＲＤ７を使ってデコードして、テレビジョン受像機８に映出することができる。
【００２２】
ＩＲＤ７には、ＩＣカード９が装着される。ＩＣカード９には、カードＩＤと、暗号化された受信契約情報が記録されている。
【００２３】
この発明が適用されたシステムでは、受信契約情報が確実に受信できるように、第１の衛星運営会社と第２の衛星運営会社とでは、ＥＭＭパケットの交換が行われている。これにより、第１の衛星運営会社のサイト１からは、第１の衛星運営会社のＥＭＭパケットＰＥＭＭ１のみならず、第２の衛星運営会社のＥＭＭパケットＰＥＭＭ２が送られる。また、第２の衛星運営会社のサイト２からは、第２の衛星運営会社のＥＭＭパケットＰＥＭＭ２のみならず、第１の衛星運営会社のＥＭＭパケットＰＥＭＭ１が送られる。
【００２４】
つまり、図２Ａは、ＩＲＤ７に、第１の衛星運営会社が発行したＩＣカード９Ａが装着された場合を示している。この場合、視聴者が第１の衛星運営会社の衛星３からの放送を受信しているときには、第１の衛星運営会社のサイト１から送られてくる第１の衛星運営会社のＥＭＭパケットＰＥＭＭ１が衛星３を介してＩＲＤ７で受信され、この契約者情報がＩＣカード９Ａに記録される。視聴者が第２の衛星運営会社の衛星４からの放送を受信しているときには、第２の衛星運営会社のサイト２から送られてくる第１の衛星運営会社のＥＭＭパケットＰＥＭＭ１が衛星４を介してＩＲＤ７で受信され、この契約者情報がＩＣカード９Ａに記録される。
【００２５】
図２Ｂは、ＩＲＤ７に、第２の衛星運営会社が発行したＩＣカード９Ｂが装着された場合を示している。この場合には、第２の衛星運営会社の衛星４からの放送を受信しているときには、第２の衛星運営会社のサイト２から送られてくる第２の衛星運営会社のＥＭＭパケットＰＥＭＭ２が衛星４を介してＩＲＤ７で受信され、この契約者情報がＩＣカード９Ｂに記録される。第１の衛星運営会社の衛星３からの衛星放送を受信しているときには、第１の衛星運営会社のサイト３から送られてくる第２の衛星運営会社のＥＭＭパケットＰＥＭＭ２が衛星３を介してＩＲＤ７で受信され、この契約者情報がＩＣカード９Ｂに記録される。
【００２６】
図３は、上述のシステムのサイト１及びサイト２において多チャンネルディジタル放送を行うための放送装置の概要を示すものである。この多チャンネルディジタル放送装置は、第１の衛星運営会社と第２の衛星運営会社とで、基本的には同一のものが使用されている。
【００２７】
このディジタル放送装置は、放送番組編成システム（ＢＰＤＳ）２１と、ベースバンドシステム（ＢＡＳＥＢＡＮＤ）２２と、セントラルプロセシングシステム２３と、顧客管理システム（ＳＭＳ）２４と、顧客視聴許可システム（ＳＡＳ）２５と、ＩＦシステム２６と、共用システム２７とを有している。
【００２８】
放送番組編成システム（ＢＰＤＳ）２１は、放送映像素材の登録、管理と映像番組の編成を行うものである。この放送番組編成システム（ＢＰＤＳ）２１は、＃１から＃ＭまでのＭ個のシステムからなる。
【００２９】
ベースバイドシステム（ＢＡＳＥＢＡＮＤ）２２は、回線入力される映像素材の受け入れや、カートやサーバによる映像素材の送出、マスタスイッチャによる素材のスイッチング等を行っており、ベースバンドコントロールシステム（ＢＣＳ）３１と、ルータコントロールシステム（ＲＣＣ）３２を有している。
【００３０】
セントラルプロセシングユニット２３は、ネットワークマネージメントデータベース（ＮＭＤ）３３と、プログラムガイドシステム（ＰＧＳ）３４と、エンコーダコントロールシステム（ＥＣＳ）３５と、マルチプレクサコントロールシステム（ＭＣＳ）３６と、ＥＰＧ（電子プログラムガイド）フローコントロール（ＥＰＧ−ＦＣ）３７と、エンコーダ（ＥＮＣ）３８と、マルチプレクサ（ＭＵＸ）３９と、ダウンロードサーバ（ＤＬＳ）４０とを有している。
【００３１】
ネットワークマネージメントデータベース（ＮＭＤ）３３は、放送システムの設定を入力し、放送番組編成システム（ＢＤＰＳ）２１で入力した全情報、スケジュールに関する情報を、特定の視聴者のみが見ることができるＣＡ情報、及びシステムの共通情報であるコンフィグレーション情報等の分配を行う。
【００３２】
プログラムガイドシステム（ＰＧＳ）３４は、１トランスポンダで送出するサービスのＥＰＧ送出データ、スケジュール制御ファイルを生成する。
【００３３】
マルチプレクサ（ＭＵＸ）３９は、１次元多重化されたビデオ及びオーディオパケット等をシリアルで受け取り、内部パケットを生成する。更に番組単位のＥＭＣパケットを生成する。これらビデオ及びオーディオパケット及び放送システム制御に必要な全ての制御パケットは、多重化されて、１本のストリームとして出力される。
【００３４】
顧客管理システム（ＳＭＳ）２４は、顧客登録や、有料放送に対する料金聴取等の顧客管理を行っている。顧客管理システム（ＳＭＳ）２４は、顧客毎に、どのチャンネルを受信する契約となっているかを管理しており、この契約に基づいて、受信契約情報（ＥＭＭ）を送出する。また、この顧客管理システム（ＳＭＳ）２４は、有料放送の課金管理を行っている。
【００３５】
顧客視聴許可システム（ＳＡＳ）２５は、顧客管理システム（ＳＭＳ）２４からの受信契約情報（ＥＭＭ）を受け取り、この受信契約情報を暗号化アルゴリズムによって暗号化して、ＥＭＭパケットを送出する。
【００３６】
ＩＦシステム２６は、ＱＰＳＫ変調（ＱＰＳＫ）部４１と、ＩＦスイッチャ（ＩＦＳＷ）４２とを有している。送出するパケットは、ＩＦシステム２６に送られ、ＩＦシステム部２６でＱＰＳＫ変調され、所定の搬送波周波数に変換される。このＩＦシステム部２６の出力は、出力増幅器２７に供給されて電力増幅される。そして、この信号がパラボラアンテナ２８から出力され、衛星３又は衛星４に向けて送信される。
【００３７】
共用システム２７は、システムアラームを検知表示するためのアラーム及びモニタシステム（ＡＭＳ）４３と、システムのバックボーンを行うネットワーク４４とを備える。
【００３８】
図４は、各家庭のＩＲＤ７の構成を示すものである。図４において、衛星３又は４からの信号は、パラボラアンテナ６で受信される。パラボラアンテナ６には、ＬＮＢ（Low Noise Block Downconverter ）５１が取り付けられる。ＬＮＢ５１により受信信号がダウンコンバートされる。
【００３９】
ＬＮＢ５１の出力は、フロントエンド部５２に供給される。フロントエンド部５２は、キャリア選択部５３と、ＱＰＳＫ復調部５４と、ＦＥＣデコーダ部５４とを有している。
【００４０】
キャリア選択部５３には、ホストプロセッサ５０から、周波数設定信号が供給される。この周波数設定信号は、入力部７０に与えられた視聴者からのチャンネル設定信号に基づいて発生される。このホストプロセッサ５０からの周波数設定信号により、フロントエンド部５２のキャリア選択部５３が制御され、所定の受信周波数の信号が選択される。
【００４１】
キャリア選択部５３の出力がＱＰＳＫ復調部５４に供給される。ＱＰＳＫ復調部５４は、キャリア選択部５３により選択された受信信号をＱＰＳＫ復調するものである。
【００４２】
ＱＰＳＫ復調部５４の出力は、ＦＥＣデコーダ部５５に供給される。ＦＥＣデコーダ部５５で、エラー訂正処理等が行われる。このＦＥＣデコーダ部５５の出力がトランスポート部５７に送られる。
【００４３】
トランスポート部５７は、デスクランブラ５８と、デマルチプレクサ５９を有している。デスクランブラ５８は、受信番組がスクランブルされている場合に、このスクランブルを解除するものである。デマルチプレクサ５９は、パケットストリームから、ビデオパケット、オーディオパケット、ＥＰＧパケット等を振り分けるものである。
【００４４】
ホストプロセッサ５０は、視聴者から受信を指令されたサーピス（チャンネル）の番組がスクランブルされている場合、ＩＣカード９に記憶されている情報を読み出し、その情報に対応してトランスポート部５７のデスクランブラ５８を制御する。すなわち、アクセスが許可されている場合には、デスクランブラ５８は、ＦＥＣデコーダ５５からのスクランブルされているパケットをデスクランブルし、デマルチプレクサ５９に出力する。アクセスが許容されていない場合には、ホストプロセッサ５０は、デスクランブラ５８にデフクランブルの処理を実行させない。その結果、実質的に視聴者は、契約していない番組を視聴することができないことになる。
【００４５】
デマルチプレクサ５９により、ビデオパケットと、オーディオパケットと、ＥＰＧパケットとが分離される。ビデオパケットはビデオデコーダ６０に送られ、オーディオパケットはオーディオデコーダ６１に送られ、ＥＰＧパケットはＥＰＧ処理プロセッサ６２に送られる。
【００４６】
ビデオデコーダ６０は、入力されたビデオデータをＭＰＥＧ２方式でデコードして、輝度信号Ｙ及び色差信号（Ｒ−Ｙ）及び（Ｂ−Ｙ）からなるコンポーネントビデオ信号を形成する。このコンポーネントビデオ信号がＮＴＳＣエンコーダ６４に供給される。ＮＴＳＣエンコーダ６４により、輝度信号Ｙ及び色差信号（Ｒ−Ｙ）及び（Ｂ−Ｙ）からなるコンポーネントビデオ信号は、ＮＴＳＣ方式のコンポジットビデオ信号に変換される。このＮＴＳＣ方式のビデオ信号が出力端子６６から出力される。
【００４７】
オーディオデコーダ６１は、入力されたオーディオデータをＭＰＥＧ２方式でデコードし、ＰＣＭオーディオ信号を形成する。このＰＣＭオーディオ信号は、Ｄ／Ａ変換部６５に供給される。Ｄ／Ａ変換部６５でＰＣＭオーディオ信号がアナログオーディオ信号に変換される。このアナログオーディオ信号が出力端子６７から出力される。
【００４８】
ＥＰＧ処理プロセッサ６２は、ホストプロセッサ５０からの指令に対応して、ＥＰＧデータをホストプロセッサ５０に供給すると共に、オンスクリーン表示するためのデータを生成して、ＮＴＳＣエンコーダ６４に出力する。これにより、画面上に、電子プログラムが映出される。
【００４９】
また、ホストプロセッサ５０の出力が表示部６９に供給される。この表示部６９に各種の表示が行われる。また、ホストプロセッサ５０には、モデム６８が接続される。ＰＰＶ（Pay Per View）の視聴履歴は、ＩＣカード９に保存され、所定の期間毎に、モデム６６を介して、各衛星運営会社の顧客管理システム（ＳＭＳ）に送られる。
【００５０】
ところで、上述のように、この発明が適用できる衛星放送受信システムでは、第１の衛星運営会社の衛星３と、第２の衛星運営会社の衛星４とから、ディジタル衛星放送の信号が送られてきており、どちらの衛星からの信号も受信可能とされている。このような形態であるため、一方の衛星運営会社と受信契約を結び、一方の衛星運営会社のサイトから受信契約情報が送られてくるときに、他方の衛星運営会社の衛星の信号を受信していると、受信契約情報が受け取れないことになる。
【００５１】
そこで、この発明が適用されたシステムでは、第１の衛星運営会社と、第２の衛星運営会社とで、ＥＭＭパケットの交換を行うようにしている。これにより、どちらの衛星運営会社の放送を受信している場合にも、受信契約情報を確実に受け取ることができる。
【００５２】
以下、第１の衛星運営会社と第２の衛星運営会社とで行うＥＭＭパケットの交換について詳述する。
【００５３】
図５において、第１の衛星運営会社は、設置場所の異なる３つのサイト１００Ａ、１００Ｂ、１００Ｃを有している。これらサイト１００Ａ〜１００Ｃは、図１におけるサイト１に対応している。サイト１００Ａに顧客管理システム（ＳＭＳ）１２４がある。この顧客管理システム（ＳＭＳ）１２４は、図３における顧客管理システム（ＳＭＳ）２４に対応している。
【００５４】
第１の衛星運営会社の顧客管理システム（ＳＭＳ）１２４から、第１の衛星運営会社の受信契約情報ＥＭＭ１が発行される。この第１の衛星運営会社の受信契約者情報ＥＭＭ１は、ＥＭＭプロセスユニット（ＥＰＵ）１５１に送られる。
【００５５】
ＥＭＭプロセスユニット（ＥＰＵ）１５１は、この第１の衛星運営会社の契約者情報ＥＭＭ１を暗号化して、第１の衛星運営会社のＥＭＭパケットＰＥＭＭ１を形成するものである。このＥＭＭプロセスユニット（ＥＰＵ）１５１は、図３における顧客視聴システム（ＳＡＳ）２５に含まれる。このＥＭＭプロセスユニット（ＥＰＵ）１５１からの第１の衛星運営会社のＥＭＭパケットＰＥＭＭ１は、レピータ１５２Ａ、１５２Ｂ、１５２Ｃ、１５２Ｄに送られる。
【００５６】
なお、レピータ１５２Ａ及び１５２Ｂはサイト１００Ａにあり、レピータ１５２Ｃはサイト１００Ｂにあり、レピータ１５２Ｄはサイト１００Ｃにある。これらレピータ１５２Ａ〜１５２Ｄは、第１の衛星運営会社のＥＭＭパケットＰＥＭＭ１を必要に応じて複数回繰り返して送信するもので、図３における顧客視聴システム（ＳＡＳ）２５に含まれる。
【００５７】
サイト１００Ａのレピータ１５２Ａ及び１５２Ｂの出力は、サイト１００ＡにあるＥＭＭ混合器１５３Ａ及び１５３Ｂに夫々供給される。サイト１００Ｂのレピータ１５２Ｃの出力は、サイト１００ＢにあるＥＭＭ混合器１５３Ｃに供給される。サイト１００Ｃのレピータ１５２Ｄの出力は、サイト１００ＣにあるＥＭＭ混合器１５３Ｄに供給される。また、サイト１００ＡにはＥＭＭ中継器１５４が設けられており、レピータ１５２Ａの出力は、ＥＭＭ中継器１５４を介して、第２の衛星運営会社側に送られる。
【００５８】
第２の衛星運営会社は、送信管理局２００Ａとサイト２００Ｂとが離れた位置にある。この送信管理局２００Ａ及びサイト２００Ｂは、図１におけるサイト２に対応している。送信管理局２００Ａに顧客管理システム（ＳＭＳ）２２４がある。この顧客管理システム（ＳＭＳ）２２４は、図３における顧客管理システム（ＳＭＳ）２４に対応している。
【００５９】
第２の衛星運営会社の顧客管理システム（ＳＭＳ）２２４から、第２の衛星運営会社の受信契約情報ＥＭＭ２が発行される。この第２の衛星運営会社の受信契約情報ＥＭＭ２は、ＳＭＳ分散ユニット（ＳＤＵ）２５０に送られる。ＳＭＳ分散ユニット（ＳＤＵ）２５０で、第２の衛星運営会社の顧客管理システム（ＳＭＳ）２２４からの第２の衛星運営会社の受信契約者情報ＥＭＭ２が振り分けられる。
【００６０】
ＳＭＳ分散ユニット（ＳＤＵ）２５０の出力が複数のＥＭＭプロセスユニット（ＥＰＵ）２５１Ａ、２５１Ｂ、２５１Ｃ、２５１Ｄ、２５１Ｅに送られる。ＥＭＭプロセスユニット（ＥＰＵ）２５１Ａ〜２５１Ｅは、この第２の衛星運営会社の受信契約情報ＥＭＭ２を暗号化して、第２の衛星運営会社のＥＭＭパケットＥＭＭ２を形成するものである。ＥＭＭプロセスユニット（ＥＰＵ）２５１Ａ〜２５１Ｄは、図３における顧客視聴システム（ＳＡＳ）２５に含まれる。
【００６１】
第２の衛星運営会社のサイト２００Ｂには、ＥＭＭパケットＰＥＭＭ２を繰り返し送出するためのレピータ２５２Ａが設けられる。また、第１の衛星運営会社のサイト１００Ａには、第２の衛星運営会社のＥＭＭパケットＰＥＭＭ２を繰り返し送出するためのレピータ２５２Ｂ及び２５２Ｃが設けられ、第１の衛星運営会社のサイト１００Ｂには、第２の衛星運営会社のＥＭＭパケットＰＥＭＭ２を繰り返し送出するためのレピータ２５２Ｄが設けられ、第１の衛星運営会社のサイト１００Ｃには、第２の衛星運営会社のＥＭＭパケットＰＥＭＭ２を繰り返し送出するためのレピータ２５２Ｅが設けられる。
【００６２】
第２の衛星運営会社のＥＭＭプロセスユニット（ＥＰＵ）２５１Ａの出力は、第１の衛星運営会社のサイト２００Ｂにあるレピータ２５２Ａに送られる。また、ＥＭＭプロセスユニット（ＥＰＵ）２５１Ｂ、２５１Ｃ、２５１Ｄ、２５１Ｅの出力は、第１の衛星運営会社のサイト１００Ａ〜１００Ｃにあるレピータ２５２Ｂ、２５２Ｃ、２５２Ｄ、２５２Ｅに夫々供給される。
【００６３】
レピータ２５２Ｂ、２５２Ｃ、２５２Ｄ、２５２Ｅからの第２の衛星運営会社のＥＭＭパケットＰＥＭＭ２は、ＥＭＭ混合器１５３Ａ、１５３Ｂ、１５３Ｃ、１５３Ｄに夫々供給される。ＥＭＭ混合器１５３Ａ、１５３Ｂ、１５３Ｃ、１５３Ｄには、レピータ１５２Ａ、１５２Ｂ、１５２Ｃ、１５２Ｄから、第１の衛星運営会社のＥＭＭパケットＰＥＭＭ１が供給されている。これらＥＭＭ混合器１５１Ａ〜１５１Ｄにより、第１の衛星運営会社のＥＭＭパケットＰＥＭＭ１と、第２の衛星運営会社のＥＭＭパケットＰＥＭＭ２とが混合される。
【００６４】
ＥＭＭ混合器１５３Ａ、１５３Ｂ、１５３Ｃ、１５３Ｄの出力がマルチプレクサ１５５Ａ、１５５Ｂ、１５５Ｃ、１５１Ｄに供給される。マルチプレクサ１５５Ａ〜１５５Ｄは、ＥＭＭパケットをパケットストリーム上に組み込むもので、図３におけるマルチプレクサ（ＭＵＸ）３９に対応している。このように、第１の衛星運営会社のＥＭＭパケットＥＭＭ１と、第２の衛星運営会社のＥＭＭパケットＥＭＭ２とは混合されて、第１の衛星運営会社の各サイト１００Ａ、１００Ｂ、１００Ｃから送信される。
【００６５】
また、第２の衛星運営会社のＥＭＭプロセスユニット（ＥＰＵ）２５１Ａの出力は、第２の衛星運営会社のサイト２００Ｂにあるレピータ２５２Ａに送られる。このレピータ２５２Ａからの第２の衛星運営会社のＥＭＭパケットＰＥＭＭ２は、ＥＭＭ混合器２５３に送られる。
【００６６】
ＥＭＭ混合器２５３には、ＥＭＭ中継器１５４を介して、第１の衛星運営会社のＥＭＭパケットＰＥＭＭ１が供給される。ＥＭＭ混合器２５３により、第２の衛星運営会社のＥＭＭパケットＰＥＭＭ２と、第１の衛星運営会社のＥＭＭパケットＰＥＭＭ１とが混合される。
【００６７】
ＥＭＭ混合器２５３の出力がマルチプレクサ２５５に供給される。マルチプレクサ２５５は、ＥＭＭパケットをパケットストリーム上に組み込むもので、図３におけるマルチプレクサ（ＭＵＸ）３９に対応している。このように、第２の衛星運営会社のＥＭＭパケットＰＥＭＭ２と、第１の衛星運営会社のＥＭＭパケットＰＥＭＭ１とは混合されて、第２の衛星運営会社の各サイト２００Ｂから送信される。
【００６８】
このように、この発明が適用されたシステムでは、第１の衛星運営会社のサイトに、第２の衛星運営会社のＥＭＭパケットＰＥＭＭ２のレピータ２５２Ｂ〜２５２Ｅが設けられると共に、第１の衛星運営会社ののＥＭＭパケットＰＥＭＭ１と第２の衛星運営会社のＥＭＭパケットＰＥＭＭ２とを混合するＥＭＭ混合器１５３Ａ〜１５３Ｄが設けられる。また、第１の衛星運営会社のサイトには、第１の衛星運営会社のＥＭＭパケットを第２の衛星運営会社のサイトに送るためのＥＭＭ中継器１５４が設けられる。第２の衛星運営会社のサイトには、第２の衛星運営会社のＥＭＭパケットＰＥＭＭ２Ｊ第１の衛星運営会社のＥＭＭパケットＰＥＭＭ１とを混合するＥＭＭ混合器２５３が設けられる。
【００６９】
これにより、第１の衛星運営会社のサイトからは、第１の衛星運営会社のＥＭＭパケットＰＥＭＭ１のみならず、第２の衛星運営会社のＥＭＭパケットＰＥＭＭ２が出力される、また、第２の衛星運営会社のサイトからは、第２の衛星運営会社のＥＭＭパケットＰＥＭＭ２のみならず、第１の衛星運営会社のＥＭＭパケットＰＥＭＭ１が出力されるようになり、どちらの衛星を受信しているときにも、確実にＥＭＭパケットを受け取ることができるようになる。
【００７０】
なお、上述のように、第１の衛星運営会社のサイトと第２の衛星運営会社のサイトとの間でＥＭＭパケットを交換する場合、レピータを介される前の段階でＥＭＭパケットを相手側の衛星運営会社のサイトに送るようにしても良いし、レースを介された後にＥＭＭパケットを相手側の衛星運営会社のサイトに送るようにしても良い。データ量を考慮すると、レピータを介される前の段階でＥＭＭパケットを相手側の衛星運営会社のサイトに送ることが望ましい。レピータを介される前の段階でＥＭＭパケットを相手側の衛星運営会社のサイトに送った場合、相手側の衛星運営会社側に、このＥＭＭパケットをレピートするレピータが必要になる。
【００７１】
勿論、第１の衛星運営会社のサイトと第２の衛星運営会社のサイトとの間でＥＭＭパケットを交換する場合、第１の衛星運営会社のサイトから第２の衛星運営会社のサイトへのＥＭＭパケットの伝送と第１の衛星運営会社のサイトから第２の衛星運営会社のサイトへのＥＭＭパケットの伝送の双方とも、レピータを介される前の段階でＥＭＭパケットを相手側の衛星運営会社のサイトに送るようにしても良いし、一方は、レピータを介される前の段階でＥＭＭパケットを相手側の衛星運営会社のサイトに送り、他方は、レピータを介された後の段階でＥＭＭパケットを相手側の衛星運営会社のサイトに送るようにしても良いし、更に、双方とも、レピータを介された後の段階でＥＭＭパケットを相手側の衛星運営会社のサイトに送るようにしても良い。
【００７２】
上述の例では、第１の衛星運営会社のサイトと第２の衛星運営会社のサイトとを有線で結んでＥＭＭパケットの交換を行ってるが、衛星を介して送られてくるＥＭＭパケットを受信してＥＭＭパケットの交換を行うようにしても良い。
【００７３】
図６は、衛星を介して送られてくるＥＭＭパケットを受信してＥＭＭパケットを交換するようにした例である。前述の例では、第２の衛星運営会社のサイトから第１の衛星運営会社のサイトのレピータ２５２Ｂ、２５２Ｃ、２５２Ｄ、２５２Ｅに対して直接的にＥＭＭパケットＰＥＭＭ２を送り、この第２の衛星運営会社のＥＭＭパケットＰＥＭＭ２と、第１の衛星運営会社のＥＭＭパケットＰＥＭＭ１とをＥＭＭ混合器１５３Ａ、１５３Ｂ、１５３Ｃ、１５３Ｄで混合するようにしていたが、この例では、レピータ２５２Ｂ、２５２Ｃ、２５２Ｄ、２５２Ｅの前段に、ダミーＩＲＤ３０１Ａ、３０１Ｂ、３０１Ｃ、３０１Ｄが設けられる。そして、これらダミーＩＲＤ３０１Ａ、３０１Ｂ、３０１Ｃ、３０１Ｄで、第２の衛星運営会社から衛星４を介して送られてくる第２の衛星運営会社のＥＭＭパケットＰＥＭＭ２が受信される。この受信された第２の衛星運営会社のＥＭＭパケットＰＥＭＭ２がレピータ２５２Ｂ、２５２Ｃ、２５２Ｄ、２５２Ｅに供給される。そして、ＥＭＭ混合器１５３Ａ、１５３Ｂ、１５３Ｃ、１５３Ｄで、第１の衛星運営会社のＥＭＭパケットＰＥＭＭ１と、第２の衛星運営会社のＥＭＭパケットＰＥＭＭ２とが混合される。
【００７４】
また、図４における例では、第１の衛星運営会社のサイトから第２の衛星運営会社のサイトに、ＥＭＭ中継器１５４を介して、第１の衛星運営会社のＥＭＭパケットＰＥＭＭ１を第２の運営会社側に送っていたが、この例では、第２の衛星運営会社のサイトのレピータ２５３の前段に、ダミーＩＲＤ４０１が設けられる。そして、ダミーＩＲＤ４０１で、第１の衛星運営会社から衛星３を介して送られてくる第１の衛星運営会社のＥＭＭパケットＰＥＭＭ１が受信される。この受信された第１の衛星運営会社のＥＭＭパケットＰＥＭＭ１がレピータ２５３に供給される。そして、マルチプレクサ２５５で、第１の衛星運営会社のＥＭＭパケットＥＭＭ１と、第２の衛星運営会社のＥＭＭパケットＥＭＭ２とが混合される。
【００７５】
【発明の効果】
この発明によれば、第１の衛星運営会社のサイトと第２の衛星運営会社のサイトの間で、第１の衛星運営会社からのＥＭＭパケットと第２の衛星運営会社からのＥＭＭパケットとが交換されている。このため、視聴者は、どちらの衛星運営会社の放送を受信している場合にも、第１の衛星運営会社又は第２の衛星運営会社から送られている受信契約情報を確実に受け取ることができる。
【図面の簡単な説明】
【図１】この発明が適用できる衛星放送システムの一例の説明に用いる略線図である。
【図２】この発明が適用できる衛星放送システムの一例におけるＥＭＭパケットの伝送の説明に用いる略線図である。
【図３】この発明が適用できる衛星放送システムの一例における放送装置の一例のブロック図である。
【図４】この発明が適用できる衛星放送システムの一例におけるＩＲＤの一例のブロック図である。
【図５】この発明が適用できる視聴管理システムの一例のブロック図である。
【図６】この発明が適用できる視聴管理システムの他の例のブロック図である。
【符号の説明】
１・・・第１の衛星運営会社のサイト，２・・・第２の衛星運営会社のサイト，３，４，・・・衛星，７・・・ＩＲＤ，２４，１２４・・・顧客管理システム，２５・・・顧客視聴許可システム，１５３Ａ〜１５３Ｄ，２５３・・・ＥＭＭ混合器，１５４・・・ＥＭＭ中継器
【図１】
0003876511.tif 000002
【図２】
0003876511.tif 000003
【図３】
0003876511.tif 000004
【図４】
0003876511.tif 000005
【図５】
0003876511.tif 000006
【図６】
0003876511.tif 000007